(57)【要約】【課題】大量の苗を高い生産性で供給することを可能とし、苗の定植および植物を収穫した後の後片付けを省力化することが可能な植物栽培方法および植物栽培装置を提供する。【解決手段】植物栽培方法は、２枚重ねにした吸水シート１０に植物を播種する工程と、植物を播種した、２枚重ねにした吸水シート１０を曲げ、互いに隣接させた状態に保持して育苗する工程と、育苗した、２枚重ねにした吸水シート１０を定植位置に載置する工程を含む。【選択図】図１
2017169493.tif 000002
【特許請求の範囲】
【請求項１】
帯状のシートに植物を播種する工程と、
該植物を播種した帯状のシートを曲げ、互いに隣接させた状態に保持して育苗する工程と、
該育苗した帯状のシートを定植位置に載置する工程を含むことを特徴とする植物栽培方法。
【請求項２】
前記帯状のシートは、２枚重ねにした吸水シートであり、
該２枚重ねにした吸水シートの間に、前記植物を播種することを特徴とする請求項１に記載の植物栽培方法。
【請求項３】
前記隣接する曲げられた帯状のシートの間に遮根部材を設けることを特徴とする請求項１または２に記載の植物栽培方法。
【請求項４】
前記定植位置が定植台に載置されている吸水シート上であることを特徴とする請求項１〜３の何れか１項に記載の植物栽培方法。
【請求項５】
低段密植栽培方法であることを特徴とする請求項１〜４の何れか１項に記載の植物栽培方法。
【請求項６】
前記植物は、トマトであることを特徴とする請求項１〜５の何れか１項に記載の植物栽培方法。
【請求項７】
植物を播種し、曲げることが可能な帯状のシートと、
該植物を播種した帯状のシートを曲げ、互いに隣接させた状態に保持して育苗する育苗部材と、
該育苗した帯状のシートを定植位置に載置する載置部材を有することを特徴とする植物栽培装置。
【請求項８】
植物を播種し、曲げることが可能な帯状のシートであって、
２枚重ねにした吸水シートであり、
該２枚重ねにした吸水シートの間に、前記植物が播種され、
播種位置の目安とする印が付されていることを特徴とする帯状のシート。
【請求項９】
前記育苗した苗を個々に分離するためのミシン目を有することを特徴とする請求項８に記載の帯状のシート。
【発明の詳細な説明】
【技術分野】
【０００１】
本発明は、植物栽培方法および植物栽培装置ならびに帯状のシートに関する。
【背景技術】
【０００２】
近年、トマト等の栽培において、高品質で均一に果実を生産する方法として、低段密植栽培方法が提案されている。
【０００３】
トマトは、一般的に、播種して育苗した苗を、３０〜５０ｃｍの間隔で第１花房を同一方向に向けて定植させた後、約半年から１年間栽培することによって、上下方向に６段〜１２段の花房をそれぞれ着生させる。これら花房を構成するそれぞれの花を開花させた後に、各花の受粉等によって、果実を実らせる。
【０００４】
これに対して、密植栽培方法は、苗を３０ｃｍ以下の間隔で定植させた後、約３ヶ月〜６ヶ月の栽培期間で、管理が容易な１段〜５段程度の果房を実らせる方法である。これにより、従来の栽培方法と比較して、花房間の競合を減らし、高品質で均一に果実を生産することができる。また、密植栽培方法は、シンプルでパターン化した生育過程を繰り返すため、栽培の安定性が得られる等のメリットがある（例えば、非特許文献１、特許文献１参照）。
【０００５】
また、特許文献２には、紙または紙のような薄膜を展開することにより形成される六角筒状の個別鉢体を連結片にして接続して連続体となし、連続体を重ね合わせると共に、重ね合わせた連続体の相互間を水溶性接着剤にて貼着した育苗移植用連続集合鉢体が開示されている。このとき、矩形からなる薄膜の幅方向の両側、各々略１／４幅を同一片面に折り返し、水溶性接着剤にて貼着して連結片を形成し、連結片を折り返し部分が対向する向きで千鳥状に配列し、連結片の幅方向両側端部を対向する連結片に非水溶性接着剤にて貼着して連続体を形成すると共に、連結片と対向する連結片間に個別鉢体を形成する。
【先行技術文献】
【特許文献】
【０００６】
【特許文献１】特開２０１３−１０２７３８号公報
【特許文献２】特開２００７−１２９９６８号公報
【非特許文献】
【０００７】
【非特許文献１】低段密植栽培による新たなトマト生産，野菜茶業研究集報，３，９１−９８（２００６）
【発明の概要】
【発明が解決しようとする課題】
【０００８】
ここで、密植栽培方法は、従来の栽培方法に比べて、栽培期間が短いため、作付け回数が多くなり、大量の苗を生産する必要がある。
【０００９】
一方、密植栽培方法は、植物を収穫した後の後片付けが増えることに加え、次作の苗の定植の回数が増え、省力化することが難しいという問題がある。
【００１０】
また、特許文献２の育苗移植用連続集合鉢体は、栽培土を充填して播種するため、大量の苗を高い生産性で供給することが困難であるという問題がある。
【００１１】
本発明の一態様は、上記の問題点を解決し、大量の苗を高い生産性で供給することを可能とし、苗の定植および植物を収穫した後の後片付けを省力化することが可能な植物栽培方法および植物栽培装置ならびに帯状のシートを提供することを目的とする。
【課題を解決するための手段】
【００１２】
（１）帯状のシートに植物を播種する工程と、該植物を播種した帯状のシートを曲げ、互いに隣接させた状態に保持して育苗する工程と、該育苗した帯状のシートを定植位置に載置する工程を含むことを特徴とする植物栽培方法。
（２）前記帯状のシートは、２枚重ねにした吸水シートであり、該２枚重ねにした吸水シートの間に、前記植物を播種することを特徴とする（１）に記載の植物栽培方法。
（３）前記隣接する曲げられたシートの間に遮根部材を設けることを特徴とする（１）または（２）に記載の植物栽培方法。
（４）前記定植位置が定植台に載置されている吸水シート上であることを特徴とする（１）〜（３）の何れか１項に記載の植物栽培方法。
（５）低段密植栽培方法であることを特徴とする（１）〜（４）の何れか１項に記載の植物栽培方法。
（６）前記植物は、トマトであることを特徴とする（１）〜（５）の何れか１項に記載の植物栽培方法。
（７）植物を播種し、曲げることが可能な帯状のシートと、該植物を播種した帯状のシートを曲げ、互いに隣接させた状態に保持して育苗する育苗部材と、該育苗した帯状のシートを定植位置に載置する載置部材を有することを特徴とする植物栽培装置。
（８）植物を播種し、曲げることが可能な帯状のシートであって、２枚重ねにした吸水シートであり、該２枚重ねにした吸水シートの間に、前記植物が播種され、播種位置の目安とする印が付されていることを特徴とする帯状のシート。
（９）前記育苗した苗を個々に分離するためのミシン目を有することを特徴とする（８）に記載の帯状のシート。
【発明の効果】
【００１３】
本発明の一態様によれば、大量の苗を高い生産性で供給することを可能とし、苗の定植および植物を収穫した後の後片付けを省力化することが可能な植物栽培方法および植物栽培装置ならびに帯状のシートを提供することができる。
【図面の簡単な説明】
【００１４】
【図１】本実施形態の播種用の帯状のシートの一例を示す斜視図である。
【図２】本実施形態の育苗部材の一例を示す斜視図である。
【図３】本実施形態の定植部材の一例を示す断面模式図である。
【図４】図３の定植部材で成長した苗の一例を示す斜視図である。
【図５】本実施形態の定植部材の一例を示す断面模式図である。
【発明を実施するための形態】
【００１５】
以下に、本発明の実施形態について詳細に説明する。
【００１６】
本実施形態の植物栽培方法は、帯状のシートに植物を播種する工程と、植物を播種した帯状のシートを曲げ、互いに隣接させた状態に保持して育苗する工程と、育苗した帯状のシートを定植位置に載置する工程を含む。
【００１７】
本実施形態の植物栽培装置は、植物を播種し、曲げることが可能な帯状のシートと、植物を播種した帯状のシートを曲げ、互いに隣接させた状態に保持して育苗する育苗部材と、育苗した帯状のシートを定植位置に載置する載置部材を有する。
【００１８】
本実施形態の帯状のシートは、植物を播種し、曲げることが可能な帯状のシートであって、２枚重ねにした吸水シートであり、２枚重ねにした吸水シートの間に、植物が播種され、播種位置の目安とする印が付されている。
【００１９】
図１に、本実施形態の播種用の帯状のシートの一例として、２枚重ねにした吸水シート１０を示す。
【００２０】
２枚重ねにした吸水シート１０は、長さ方向に接合したものである。そして、２枚重ねにした吸水シート１０の間に種を挟み込むことにより、播種する。２枚重ねにした吸水シート１０は、長さ方向に接合部１１を有するため、播種した種は、接合部１１により押さえられ、播種位置の開口部の反対側に抜け落ちることはない。
【００２１】
また、吸水シート１０の表面には、播種位置の目安とする印１２が印刷されている。これにより、２枚重ねにした吸水シート１０に人が播種する場合は、播種位置の印を目視することで、等間隔で播種することが容易になる。
【００２２】
吸水シート１０は、含水性、親水性に優れた材料であるため、灌水が容易となり、また、灌水の自動化等の省力化が可能となる。
【００２３】
また、吸水シート１０の柔軟性を高めることで、２枚重ねにした吸水シート１０の育苗トレイへの設置、苗の定植等の作業性が向上すると共に、種から伸びた根が吸水シート１０を通り抜けることが容易となり、苗の生育が促進される。
【００２４】
吸水シート１０を構成する材料としては、植物を播種し、曲げることが可能であれば、特に限定されないが、例えば、ポリエステル系合成繊維等が挙げられる。
【００２５】
吸水シート１０を構成する材料は、生分解性を有していてもよい。
【００２６】
また、吸水シート１０は、白色系の色調とすることが好ましい。吸水シート１０を白色系とすることで、その表面が光を反射しやすくなり、その反射光により、特に育苗初期の苗の光照射環境が改善され、光合成が加速される。すなわち、従来の土を用いる育苗ポット等は、光を吸収しやすいため、それらの育苗器具に比べて、苗の生育を改善することが可能となる。そして、２枚重ねにした吸水シート１０を用いて育苗した苗は、土を用いずに育苗されているため、根鉢が形成されず定植後の活着がよく、その後の生育も改善される。
【００２７】
吸水シート１０のサイズは、育苗する植物の種類にもよるが、通常、幅が４ｃｍ程度であり、厚さが２ｍｍ程度である。吸水シート１０の長さは、育苗トレイのサイズにもよるが、長さが５０ｍ程度の吸水シートを適宜切断して使用するのが経済的である。
【００２８】
また、２枚重ねにした吸水シート１０の接合の位置、接合の間隔は、育苗する植物の種の大きさ、根の太さによる。例えば、トマトを栽培する場合、接合の位置は、端から５ｍｍ程度であり、接合の間隔は、３ｍｍ程度であることが好ましい。
【００２９】
吸水シート１０には、育苗した苗を個々に分離するためのミシン目が設けられていることが好ましい。これにより、効率的に定植できる場合があり、また、植物を収穫した後の後片付けが簡便になる場合がある。
【００３０】
ミシン目とは、吸水シート１０を切り離しやすいように入れた連続した小孔を指す。また、ミシン目は、播種位置の目安とする印１２を兼ねてもよい。
【００３１】
なお、播種用の帯状のシートの形態は、２枚重ねにした吸水シートに限定されない。例えば、スポンジ状の１枚の吸水シートを用いて、スポンジの孔の内部に播種してもよい。また、播種する箇所のみを２枚重ねにした吸水シートとして、他の箇所を廉価な１枚の非吸水フィルムとしてもよい。
【００３２】
本実施形態では、植物を播種した帯状のシートを曲げ、互いに隣接させた状態に保持して育苗する。
【００３３】
図２に、本実施形態の育苗部材の一例として、育苗トレイ２０を示す。
【００３４】
育苗トレイ２０の内部に、左右交互に隙間ができるように、遮根板２１が並べられている。そして、播種した、２枚重ねにした吸水シート１０は、遮根板２１の隙間部分で曲げることで九十九折状にした。また、２枚重ねにした吸水シート１０を育苗トレイの底面と垂直な状態で保持し、隣接するシートの間に遮根板２１が位置するように設置する。この際、２枚重ねにした吸水シート１０は、播種した際の隙間の方向を上にして育苗トレイ２０内に保持する。これにより、播種した種は、２枚重ねにした吸水シート１０の接合部１１により保持されるため、２枚重ねにした吸水シート１０の外部に抜け落ちることが防止される。また、２枚重ねにした吸水シート１０は、種から伸びた根が通り抜けられる程度に疎の間隔で接合することで、苗Ｓの生育が阻害されることを防ぐことができる。
【００３５】
なお、２枚重ねにした吸水シート１０を曲げる形状は、２枚重ねにした吸水シート１０を互いに隣接させることが可能であれば、九十九折状に限定されず、螺旋状等であってもよい。
【００３６】
本実施形態では、育苗トレイ２０の内部に培養液を供給して育苗する。そして、種から発芽した芽や根は、２枚重ねにした吸水シート１０の開口部や、吸水シート１０の表面から外部に向けて伸びる。ここで、根は、吸水シート１０が保持する培養液や、育苗トレイ２０の内部の培養液を吸収して成長し、葉は、光を吸収して成長する。
【００３７】
育苗トレイ２０および遮根板２１を構成する材料としては、例えば、樹脂を用いることができるが、その他、保水材料を用いることができる。
【００３８】
保水材料としては、例えば、多孔質のセラミックス、連続孔がある樹脂、ケイソウ土の板、パーライトを吹き付けた複合材等が挙げられる。
【００３９】
本実施形態の植物栽培方法は、上記のように、簡便な方法で育苗トレイ２０の内部に高密度の苗Ｓを育てることができるため、大量の苗Ｓを高い生産性で供給することができる。
【００４０】
本実施形態では、育苗した帯状のシートを定植位置に載置する。
【００４１】
図３に、本実施形態の定植部材の一例として、栽培槽３０を示す。
【００４２】
栽培槽３０の内部の培養液Ｌの表面を超える位置に、定植台３１の定植面が設けられている。定植台３１の上には、吸水シート３２が載置されており、その上には、透水性の遮根シート３３が敷設されている。これにより、培養液Ｌは、遮根シート３３、吸水シート３２、吸水シート１０を通じて、苗Ｓに供給される。
【００４３】
ここで、栽培槽３０の内部に、給液管３４を用いて培養液Ｌを供給し、栽培槽３０の内部で培養液Ｌを循環させている。
【００４４】
栽培槽３０の上部には、任意で蓋３５を設けることができる。蓋３５は、栽培槽３０内の培養液Ｌに光が当たることを防ぎ、これにより、アオコの発生を防ぐことができる。また、蓋３５の色調を白色系とすることで、その表面が光を反射しやすくなり、その反射光により、植物の光照射環境が改善され、光合成を加速することができる。
【００４５】
また、定植の初期においては、栽培槽３０の上部に蓋３５を設けないことが好ましい。これにより、白色系の吸水シート１０を用いた場合の反射光により、苗への光照射環境が改善され、定植した苗の活着を改善することができる。
【００４６】
なお、給液管３４を用いて、培養液Ｌを定期的に供給してもよい。
【００４７】
吸水シート３２としては、含水性、柔軟性、親水性に優れた材料を用いるのが好ましい。
【００４８】
遮根シート３３としては、含水性、柔軟性、親水性に加え、防根性に優れた材料を用いることが好ましい。これにより、植物を収穫した後の後片付けをさらに省力化することができる。
【００４９】
本実施形態では、育苗した、２枚重ねにした吸水シート１０を曲げられていない状態に戻して、吸水シート３２上に、育苗した苗Ｓを直線状に載置する。これにより、苗Ｓの定植を省力化することができる。ここで、吸水シート３２上に、育苗した苗Ｓを直線状に載置することで、栽培した植物の収穫が容易になる。
【００５０】
なお、吸水シート３２上に載置する育苗した苗Ｓの配置は、直線状に限定されず、載置するスペースの状態等に応じて、三角形状、四角形状、曲線状、九十九折状、螺旋状等としてもよい。
【００５１】
２枚重ねにした吸水シート１０を吸水シート３２上に載置する際に、吸水シート１０の表面を吸水シート３２の表面と平行にする。この場合は、苗Ｓが成長すれば、自然と根が下側を向き、芽が上側を向くことになる。
【００５２】
なお、２枚重ねにした吸水シート１０を吸水シート３２上に載置する際に、吸水シート１０の表面を吸水シート３２の表面と垂直にし、根を下側にし、芽を上側にしてもよい。
【００５３】
本実施形態では、図４に示すように、苗Ｓは、定植台３１上で、一列に等間隔で成長することになる。図４では、栽培槽３０の蓋３５として、苗Ｓごとに、開口部を有するものを使用しているが、苗Ｓの定植をより簡便に行い、また、苗Ｓとの位置合わせを容易にするためには、図５に示すように、蓋５１の脇から苗Ｓを成長させる構造とするのが好ましい。
【００５４】
本実施形態の植物栽培方法は、植物を収穫した後の後片付けが容易である。すなわち、後片付けは、定植台３１の表面から、２枚重ねにした吸水シート１０を剥がすだけで済むので、植物を収穫した後の後片付けを省力化することができる。特に、定植台３１の表面が遮根シート３３で覆われている場合は、定植台３１の表面からの２枚重ねにした吸水シート１０の分離がさらに容易になり、植物を収穫した後の後片付けをさらに省力化することができる。
【００５５】
本実施形態の植物栽培方法および植物栽培装置は、水耕栽培方法等の従来の栽培方法および密植栽培方法のいずれにも適用することができるが、高品質で均一に果実を生産することが可能であるため、低段密植栽培方法に適用することが好ましい。
【００５６】
本実施形態の植物栽培方法および植物栽培装置を用いて、栽培することが可能な植物としては、特に限定されないが、トマト、トマトと生育条件が類似する植物等が挙げられる。
【実施例】
【００５７】
以下、実施例により、本発明の植物栽培方法を説明するが、本発明の植物栽培方法は、実施例に限定されない。
【００５８】
本実施例では、吸水シート１０として、白色のジャームガード７２１０Ｓ（東洋紡ＳＴＣ社製）を用いた。具体的には、図１に示すように、幅４ｃｍ、長さ９ｍ、厚さ２ｍｍの吸水シート１０を２枚重ねにし、端から５ｍｍの位置で、３ｍｍ間隔で長さ方向に点状に接合して、接合部１１を形成した。また、吸水シート１０に、長さ方向に１０ｃｍ間隔で、播種位置の目安とする印１２を印刷した。
【００５９】
２枚重ねの吸水シート１０の間の播種位置の目安とする印１２が印刷されている箇所に、トマト（品種：桃太郎）を播種した。
【００６０】
次に、幅３０ｃｍ、長さ６０ｃｍの樹脂製の育苗トレイ２０に、図２に示すように、２枚重ねにした吸水シート１０を九十九折状に曲げ、互いに隣接させた状態に保持した。このとき、トマトを播種した側が上になるように、２枚重ねにした吸水シート１０を育苗トレイ２０に保持した。なお、育苗トレイ２０内には、隣接するシートの間に位置するように、遮根板２１として、樹脂板が設けられている。ここで、樹脂板は、２ｃｍ間隔で２９枚設けられている。
【００６１】
そして、育苗トレイ２０に灌水した後、赤色ＬＥＤと青色ＬＥＤの同時照射による人工照明を用いて育苗した。なお、子葉が展開した後は、薄い培養液（ＥＣ０．８ｄＳ／ｍ）を与えた。トマトを播種してから２３日後、本葉が４〜５枚出た段階で、２枚重ねにした吸水シート１０を曲げられていない状態に戻して、農業用ハウス内の栽培槽３０の定植台３１に、育苗した苗Ｓを直線状に載置した。
【００６２】
栽培槽は、図３に示すように、幅５０ｃｍ、深さ１５ｃｍ、長さ１０ｍであり、定植台３１には、吸水シート３２として、白色のジャームガード７２１０Ｓ（東洋紡ＳＴＣ社製）を載置し、その上に、遮根シート３３として、白色の防根透水シートＢＫＳ０８１２（東洋紡ＳＴＣ社製）を敷いた。株間距離は、播種位置の目安とする印１２の間隔と同じ１０ｃｍであり、吸水シート３２と平行にして、２枚重ねにした吸水シート１０を載置した。
【００６３】
２枚重ねにした吸水シート１０を定植台３１に載置した後は、培養液Ｌ（ＥＣ１．８ｄＳ／ｍ）を与え、昼間は、太陽光を照射し、夜間は、赤色ＬＥＤと青色ＬＥＤの同時照射による人工照明を補光照射した。なお、定植後３日間は、栽培槽３０に蓋３５を設けなかったが、定植後４日目から栽培槽３０に白色の蓋３５を設けた。
【００６４】
２枚重ねにした吸水シート１０を定植台３１に載置してから３８日後、第１花房の３花が開花したため、着果ホルモンを散布し、第１花房の上１〜２葉を残して摘心した。
【００６５】
２枚重ねにした吸水シート１０を定植台３１に載置してから７５日後以降に、トマトは、収穫期となり、約４０日間収穫した後、後片付けした。後片付けは、定植台３１上の遮根シート３３から２枚重ねにした吸水シート１０を剥がすだけであり、簡便であった。
【符号の説明】
【００６６】
１０    吸水シート
１１    接合部
１２    播種位置の目安とする印
２０    育苗トレイ
２１    遮根板
３０    栽培槽
３１    定植台
３２    吸水シート
３３    遮根シート
３４    給液管
３５、５１    蓋
Ｌ    培養液
Ｓ    苗
【図１】
2017169493.tif 000003
【図２】
2017169493.tif 000004
【図３】
2017169493.tif 000005
【図４】
2017169493.tif 000006
【図５】
2017169493.tif 000007